(57)【要約】【課題】防塵用の弾性体の取付と分解を容易に行うことができる表示装置を提供する。【解決手段】前面板１３の周囲には弾性体１４、１８が嵌合されており、これらは押さえ金具１９、２０で押さえられている。弾性体１４は、端面にフック形状部１４ａと凸部１４ｂを持っており、フック形状部１４ａが前面板１３の端部に引っ掛かる構造になっている。【選択図】図３
2009053440.tif 000002
【特許請求の範囲】
【請求項１】
表示パネルを収容する筐体の一部を構成し、かつ前記表示パネルの前面側の画像表示範囲が表出する開口部を有するベゼルと、
前記表示パネルの前面にあって前記開口部を覆うように設けられる前面板と、
前記表示パネルと前記前面板との間に、前記画像表示範囲の外周部に沿って配置された防塵部材と、を備え、
前記防塵部材は、前記前面板の端部に嵌合する嵌合部を有することを特徴とする表示装置。
【請求項２】
前記防塵部材の嵌合部の開口寸法は前面板の端部の厚さと等しいかそれ以下となるように設定されていることを特徴とする請求項１に記載の表示装置。
【請求項３】
前記防塵部材は前記前面板と前記表示パネルとに接触し、前記表示パネルから押圧されるように構成された当接部を有することを特徴とする請求項１または２に記載の表示装置。
【請求項４】
前記防塵部材は、前記嵌合部に対応する部材と、前記当接部に対応する部材がそれぞれ設けられており、これらの部材を固定することで構成されていることを特徴とする請求項３に記載の表示装置。
【請求項５】
前記防塵部材を前記前面板に圧接させるように、前記ベゼルに固定された金属部材を有し、前記金属部材及び前記防塵部材を導電性の材料で構成したことを特徴とする請求項１乃至４のいずれか１項に記載の表示装置。
【請求項６】
前記防塵部材は、隣接する他の防塵部材と連結するための連結構造を有することを特徴とする請求項１乃至５のいずれか１項に記載の表示装置。
【発明の詳細な説明】
【技術分野】
【０００１】
本発明は、プラズマディスプレイ装置などの表示装置に関し、特に、防塵構造に特徴のある表示装置に関する。
【背景技術】
【０００２】
近年、映像を大画面で表示させるために、プラズマディスプレイ装置や液晶ディスプレイ装置などの表示装置が実用化され、需要が高まっている。
【０００３】
プラズマディスプレイ装置においては、プラズマディスプレイパネルの表示を行う前面側に、色調補正機能やコントラスト強調機能、電磁波遮断機能などを備えた光学フィルタを前面板として設置している。
【０００４】
前面板はガラスなどの透明もしくは半透明の材料で構成されている。そして、ガラスなどにこのような機能を付加するために、ガラス表面にフィルムを貼付し、また、エッチングにより導電性を持たせている。この前面板とプラズマディスプレイパネルとは、数ｍｍの隙間を設けて配置されている。これにより、パネル発生熱の遮蔽、外部衝撃によるパネルへの衝撃防止を図っている。
【０００５】
一方、液晶ディスプレイ装置は、プラズマディスプレイ装置のような機能の前面板はないが、タッチパネル機能を備える場合は、液晶パネルの前面側にタッチパネルが前面板として設置される。
【０００６】
上述したように、プラズマディスプレイパネルや液晶パネルとその前に配置される前面板との間は数ｍｍの隙間を持っている。この隙間にほこりやタバコの煙などの異物が流入してしまうと、パネル表面または前面板裏面に付着し、コントラスト低下や、汚れ、シミなどの表示不具合をもたらす可能性がある。
【０００７】
このような異物の流入を防ぐために、パネルと前面板の間にクッションを設置し、画像表示範囲内を密閉状態にすることが一般的である（例えば、特許文献１及び２参照）。
【０００８】
図１２は、特許文献１に記載のプラズマディスプレイ装置の断面図である。
【０００９】
ベゼル２には、パネル本体１の前面側の画像表示範囲が表出する開口部２ａがあり、この開口部２ａを塞ぐように、開口部２ａより大きい透明の前面板３が、周縁部を押さえ金具６とベゼル２により挟持することにより取り付けられている。
【００１０】
パネル本体１と前面板３との間には、画像表示範囲の周辺部に沿って、ウレタンゴム、シリコンゴム、アクリルゴムなどの材料からなる弾性体４が配置されている。パネル本体１は、弾性体４を介して前面板３と当接しており、画像表示範囲を弾性体４で囲うことにより画像表示範囲内への異物の流入を防いでいる。パネル本体１の後方（図の右側）には電気回路基板７が配置されている。
【特許文献１】特開２００３−１３１５８０号公報
【特許文献２】特開平１１−２３７８４４号公報
【発明の開示】
【発明が解決しようとする課題】
【００１１】
図１２に示すような従来の防塵構造では、画像表示範囲の周辺部に設置されているクッションのような弾性体を固定するために、両面テープなどの粘着材を使用し、粘着材をパネル本体や前面板へ接着させるのが一般的である。
【００１２】
一般的に、５０インチや６０インチを超えるような大画面の表示装置では、外形サイズが幅１０００ｍｍ以上のものが多い。従って、上記弾性体も長さが１０００ｍｍを超すものが多く、幅も約１０ｍｍと細いため、その貼付は困難である。
【００１３】
即ち、長尺の弾性体を粘着材で貼付すると、貼り位置がずれ、あるいは真っ直ぐ貼り付けらない場合が多い。その場合、他部品との干渉が生じ、また、ベゼル開口部より露出するおそれがあり、製造工程上または品質上好ましくない。
【００１４】
また、貼付に粘着材を使用することで、上記弾性体を剥離する際、パネル本体や前面板に粘着材が残る場合もあるため、分解性の観点からも好ましくない。
【００１５】
本発明の目的は、防塵用の弾性体の取付と分解を容易に行うことができる表示装置を提供することにある。
【課題を解決するための手段】
【００１６】
上記目的を達成するために、請求項１記載の表示装置は、表示パネルを収容する筐体の一部を構成し、かつ前記表示パネルの前面側の画像表示範囲が表出する開口部を有するベゼルと、前記表示パネルの前面にあって前記開口部を覆うように設けられる前面板と、前記表示パネルと前記前面板との間に、前記画像表示範囲の外周部に沿って配置された防塵部材とを備え、前記防塵部材は、前記前面板の端部に嵌合する嵌合部を有することを特徴とする。
【発明の効果】
【００１７】
本発明の表示装置によれば、防塵用の弾性体の取付と分解を容易に行うことができる。
【発明を実施するための最良の形態】
【００１８】
以下、本発明の実施の形態を図面を参照しながら詳細に説明する。
【００１９】
図１は、本発明の実施の形態に係る表示装置の外観斜視図である。また、図２は、本発明の実施の形態に係る表示装置の分解斜視図である。
【００２０】
図１において、表示装置の筐体１０は、筐体１０の一部を構成するベゼル１２、リアカバー１９、及び前面板１３から構成されており、ベゼル１２の前面には画像表示範囲を覆うように開口部１２ａが設けられている。
【００２１】
図２において、パネル本体１１は、電子放出素子、プラズマ放電、液晶、蛍光表示管及び有機ＥＬ（Electro  Luminescence）などいずれの薄型画像表示パネルにおいても適用できる。
【００２２】
筐体１０に収容されているパネル本体１１の背面には、電気回路基板１８が取り付けられている。前面板１３の周囲には、防塵部材としての弾性体１４、１５が嵌合されており、前面板１３は、ベゼル１２と押さえ金具（金属部材）１６、１７により挟持されている。また、押さえ金具１６、１７は前面板１３を押さえるために設けられている。
【００２３】
（第１の実施の形態）
図３は、本発明の第１の実施の形態に係る表示装置の上部における断面図である。
【００２４】
図３において、前面板１３の上端部には弾性体１４が嵌合されており、弾性体１４は、押さえ金具１６で前面板１３の裏面に押し付けられている。パネル本体１１は、取付部１１ａにおいてベゼル１２のボス１２ｂへネジ止めされており、取付部１１ａとボス１２ｂで押さえ金具（金属部材）１６を挟み込んでいる。
【００２５】
このように、弾性体１４は、前面板１３に嵌合された上で、押さえ金具１６により前面板１３の裏面に圧接され、パネル本体１１の表面と前面板１３の裏面に挟持されている。前面板１３の両側面端部、下端部においても同様の構造であり、パネル本体１１の画像表示範囲の周辺部（外周部）に沿って、弾性体１４もしくは弾性体１５は、パネル本体１１の表面と前面板１３の裏面に挟持されている。
【００２６】
従って、画像表示範囲内は弾性体１４、１５により密閉されており、外部からのほこりなどの異物の侵入を防ぐことができる。
【００２７】
次に、弾性体１４、１５が前面板１３へ取り付けられる際の詳細な構造及び部材について説明する。
【００２８】
図４は、図３における弾性体が前面板に取り付けられる際の組立図、図５は、図４における弾性体が前面板に嵌合する様子を示す図である。
【００２９】
図４に示すように、弾性体１４、１５は、前面板１３の４辺に取り付けられる。前面板１３の長手方向（横方向）は弾性体１４、短手方向（縦方向）は弾性体１５が取り付けられ、それらの断面は同じである。
【００３０】
図５において、弾性体１４は、端面に嵌合部１４ａと当接部１４ｂを有する。嵌合部１４ａは鉤形をしたフック形状となっている。この嵌合部１４ａが前面板１３の端部に嵌合して取り付けられる構造になっており、前面板１３に仮固定される。そのため、弾性体１４は、前面板１３から脱落することはない。
【００３１】
この時、嵌合部１４ａの開口寸法（前面板の端部と嵌合させるために開けられた幅）は前面板１３の端部の厚さと等しいかそれ以下に設定してあれば、前面板１３に嵌合する。そのため、嵌合部１４ａの開口寸法を、前面板１３の厚さと等しいかそれ以下とする。このように構成することで、前面板１３を垂直にしても弾性体１４が脱落することはない。また、当接部１４ｂは、パネル本体１１が組み込まれた時にパネル本体１１と接触する。パネル本体１１と接触することで当接部１４ｂは前面板方向へ押圧され、パネル本体１１ａの表面及び前面板１３に密着する。
【００３２】
このように、フック形状の嵌合部を有する弾性体１４、１５を前面板１３の端部へ仮固定させ、押さえ金具１６、１７で固定するため、粘着材等が必要無く、取り付けが容易になり、分解性を良好にすることができる。
【００３３】
また、嵌合部１４ａが前面板１３の端部により位置決めされるため、弾性体１３、１４は、長尺であっても前面板１３の端部に対してほぼ真っ直ぐ設置することができ、貼りずれ等によって起こる他部品との干渉やベゼル開口部からの露出を減らすことができる。
【００３４】
（第２の実施の形態）
図６は、本発明の第２の実施の形態に係る表示装置の上部における断面図である。また、図７は、図６における弾性体が前面板に嵌合する様子を示す図である。
【００３５】
図６において、弾性体２１は前面板１３の上端部に嵌合され、押さえ金具（金属部材）１６で、前面板１３の裏面に押し付けられて固定されている。
【００３６】
図７において、弾性体２１は、当接部に対応する弾性体２２と嵌合に対応する弾性体２３により構成されており、弾性体２２と弾性体２３は粘着材やその他の固定方法により接着されている。弾性体２３は嵌合部２３ａを有しており、この嵌合部２３ａを前面板１３の上端部へ引っ掛けることで、弾性体２３、即ち、弾性体２１は前面板１３に仮固定される。
【００３７】
弾性体２３に接着されている弾性体２２は、パネル本体１１が組み込まれた時に、前面板１３とパネル本体１１の間で挟持される。この時、弾性体２３を導電性部材で構成すると、裏面に導電処理を施した前面板１３と押さえ金具１６が弾性体２３を介して接しているので、前面板１３をアース接続することができる。
【００３８】
また、弾性体２２に熱伝導部材を使用することで、パネル本体１１から発生する熱を前面板１３へ放熱することもできる。
【００３９】
このように異なる機能を持つ弾性体２２、２３を組み合わせることで、電気的接続や放熱の効果を得ることができる。
【００４０】
（第３の実施の形態）
図８は、本発明の第３の実施の形態に係る表示装置の弾性体が嵌合されている前面板の外観斜視図である。
【００４１】
図８において、前面板１３の４辺に弾性体２４が複数嵌合されている。前面板１３の長手方向と短手方向に嵌合されている複数の弾性体２４は全て同じ部材である。複数の弾性体２４は連結され、前面板１３の４辺に嵌合されている。
【００４２】
図９は、図８における弾性体の詳細を示す外観斜視図である。
【００４３】
図９において、弾性体２４は、前面板１３の端部へ嵌合させるための嵌合部２４ａと、パネル本体１１と当接する当接部２４ｂを有する。また、弾性体２４は、その端部の連結部２４ｃが、隣接する弾性体２４の端部の連結部２４ｄと当接することで連結される連結構造を有する。
【００４４】
図１０は、図９における弾性体の連結部の詳細を示す側面図である。また、図１１は、弾性体の他の連結部形状を示す側面図である。
【００４５】
図１０において、弾性体２４の連結部２４ｃ、２４ｄは、段差を持っている形状になっており、連結時に、段差部が嵌合するようになっている。
【００４６】
一方、図１１は、連結部２４ｅは凹形状であり、反対側の連結部２４ｆは凸形状となっている。隣接する弾性体２４同士を連結させる際は、連結部２４ｅと連結部２４ｆを嵌合させる。いずれも、連結部はオーバーラップするようになっているので、隣接する弾性体２４の連結部からほこりなどの異物が画像表示範囲内に入ることを防ぐことができる。
【００４７】
このように、複数の弾性体２４を前面板１３の４辺に嵌合させると、弾性体２４の部品共用化を図ることができる。
【００４８】
また、インチ違いの表示装置がある場合、例えば、小さいサイズの表示装置であれば、弾性体２４の１辺当たりの使用個数を減らすことで、同じ弾性体２４を使用することができる。このようにインチ違いの製品に対しても部品を共通化することができる。
【００４９】
なお、上述した各実施形態の前面板はプラズマディスプレイパネル装置に適用されるものの他、タッチパネルなどのように、表示部の前面に設置される板状の部材であればどのようなものであってもよい。
【００５０】
また、上述した各実施形態では、加工性やコストなどの面を考慮して防塵部材として弾性体を適用した。弾性体の材料としては、ゴムやシリコンといった、弾性を有するとともに、防塵能力のある材料であればどのようなものであってもよい。しかしながら、本発明は、防塵部材は必ずしも弾性体に限るものではない。前面板に対して嵌合するとともに、前面板と表示パネルの間で密着して防塵効果を得ることが可能な部材であれば、例えば金属部材を適用することも可能である。
【００５１】
以上説明したように、本発明によれば、防塵部材を前面板に固定する際、粘着材等を使用せずに嵌合部で引っ掛けて固定するため、防塵部材の取り付けが容易になる。また、前面板の端面が位置決めになり、曲がることなくほぼ真っ直ぐ貼付することができる。さらに、粘着材を使用する必要が無いので、パネル本体や前面板に粘着材が残ることが無くなり、分解性も向上させることができる。
【図面の簡単な説明】
【００５２】
【図１】本発明の実施の形態に係る表示装置の外観斜視図である。
【図２】本発明の実施の形態に係る表示装置の分解斜視図である。
【図３】本発明の第１の実施の形態に係る表示装置の上部における断面図である。
【図４】図３における弾性体が前面板に取り付けられる際の組立図である。
【図５】図４における弾性体が前面板に嵌合する様子を示す図である。
【図６】本発明の第２の実施の形態に係る表示装置の上部における断面図である。
【図７】図６における弾性体が前面板に嵌合する様子を示す図である。
【図８】本発明の第３の実施の形態に係る表示装置の弾性体が嵌合されている前面板の外観斜視図である。
【図９】図８における弾性体の詳細を示す外観斜視図である。
【図１０】図９における弾性体の連結部の詳細を示す側面図である。
【図１１】弾性体の他の連結部形状を示す側面図である。
【図１２】従来例に係るプラズマディスプレイ装置を示す図である。
【符号の説明】
【００５３】
１０  筐体
１１  パネル本体
１１ａ  取付部
１２  ベゼル
１２ａ  開口部
１２ｂ  ボス
１３  前面板
１４、１５、２１、２２、２３、２４  弾性体
１４ａ  嵌合部
１４ｂ  当接部
１６、１７  押さえ金具
１８  電気回路基板
１９  リアカバー
２０  ネジ
２３ａ、２４ａ  嵌合部
２４ｂ  当接部
２４ｃ、２４ｄ、２４ｅ、２４ｆ  連結部
【図１】
2009053440.tif 000003
【図２】
2009053440.tif 000004
【図３】
2009053440.tif 000005
【図４】
2009053440.tif 000006
【図５】
2009053440.tif 000007
【図６】
2009053440.tif 000008
【図７】
2009053440.tif 000009
【図８】
2009053440.tif 000010
【図９】
2009053440.tif 000011
【図１０】
2009053440.tif 000012
【図１１】
2009053440.tif 000013
【図１２】
2009053440.tif 000014